(57)【要約】【課題】狭いスペースに設置することができるホールランタンを提供する。【解決手段】ホールランタン３は、少なくとも１つの面発光部を有する光源体１０と、光源体１０から突出するよう設けられた突出機構２０と、エレベータの乗り場７に設置され、突出機構２０が挿入されて保持される開口部５ｃが形成された留め具５と、を備えている。このうち留め具５は、ゴム材料などの弾性材料から構成されている。このため、留め具５は、開口部５ｃに挿入された突出機構２０を弾性的に押圧して保持することができる。【選択図】図２
2013049564.tif 000002
【特許請求の範囲】
【請求項１】
エレベータの乗り場に設置されたホールランタンにおいて、
少なくとも１つの面発光部を有する光源体と、
前記光源体から突出するよう設けられた突出機構と、
エレベータの乗り場に設置され、前記突出機構が挿入されて保持される開口部が形成された留め具と、を備え、
前記留め具は、前記開口部に挿入された前記突出機構を弾性的に押圧して保持するよう、弾性材料から構成されていることを特徴とするホールランタン。
【請求項２】
前記光源体は、第１方向に光を放射する第１面発光部と、前記第１方向とは逆の第２方向に光を放射する第２面発光部と、を有することを特徴とする請求項１に記載のホールランタン。
【請求項３】
前記光源体は、湾曲した状態で保持された面発光部を有することを特徴とする請求項１に記載のホールランタン。
【請求項４】
エレベータの乗り場に、前記留め具が取り付けられる留め具用開口部が形成された三方枠が設けられており、
前記留め具の側面には、前記留め具用開口部において前記留め具が前記三方枠に係止されるよう、前記三方枠の板厚に対応する幅を有する溝が形成されていることを特徴とする請求項１乃至３のいずれかに記載のホールランタン。
【請求項５】
前記突出機構には、前記光源体に電気的に接続された電極部が取り付けられており、
前記留め具には、前記突出機構が前記留め具の前記開口部に挿入されているときに前記突出機構の電極部と接触する留め具側電極部が取り付けられており、
前記留め具側電極部は電源供給部に接続されていることを特徴とする請求項１乃至４のいずれかに記載のホールランタン。
【請求項６】
前記突出機構は、前記面光源体から突出する突出部分と、前記突出部分の突出方向と略直交する方向へ延び、前記突出機構が前記留め具の前記開口部に挿入されているときに前記留め具に係止される爪部分と、を有していることを特徴とする請求項１乃至５のいずれかに記載のホールランタン。
【発明の詳細な説明】
【技術分野】
【０００１】
本発明は、エレベータの乗り場に設置され、エレベータの乗りかごの到着や運行状況を表示するエレベータのホールランタンに関する。
【背景技術】
【０００２】
一般にエレベータの乗り場ホールには、乗りかごの到着や運行状況を表示するホールランタンが設置されている。ホールランタンは、例えば乗りかごが乗り場に到着すると点灯するよう制御されており、これによって、乗り場に居るエレベータ利用者が乗りかごの到着を知ることができる。
【０００３】
例えば特許文献１において、乗り場ホールの壁体に取り付けられたホールランタンが開示されている。このホールランタンは、開口部を有するボックスと、このボックス内に収納された冷陰極蛍光ランプからなる発光体と、開口部に対向して設けられ、発光体の光をエレベータの乗り場ホールに向けて照光させる照光体と、を備えている。
【先行技術文献】
【特許文献】
【０００４】
【特許文献１】特開２００４−１８２４６８号公報
【発明の概要】
【発明が解決しようとする課題】
【０００５】
一般にエレベータの乗り場において、乗り場用のドアと乗り場の壁体との間には三方枠が設けられており、この三方枠に上述のホールランタンを取り付けることが求められる場合がある。ここで、上述の特許文献１に記載のホールランタンにおいては、乗り場ホールに到達する光にムラが生じるのを防ぐため、発光体と照光体との間に一定以上の距離を設ける必要がある。このような制約のため、照光体を備えたタイプのホールランタンの寸法は一般に大きくなっており、このため、照光体を備えたタイプのホールランタンを三方枠の枠内に設置することは困難である。この場合、ホールランタンの一部、例えば発光体を収納するボックスを昇降路内に突出させることになる。しかしながら、一般に昇降路内には様々な構成部品が取り付けられており、このため、ホールランタンを設置する作業の効率が低くなるおそれがある。
【０００６】
本発明は、このような課題を効果的に解決し得るホールランタンを提供することを目的とする。
【課題を解決するための手段】
【０００７】
本発明は、エレベータの乗り場に設置されたホールランタンにおいて、少なくとも１つの面発光部を有する光源体と、前記光源体から突出するよう設けられた突出機構と、エレベータの乗り場に設置され、前記突出機構が挿入されて保持される開口部が形成された留め具と、を備え、前記留め具は、前記開口部に挿入された前記突出機構を弾性的に押圧して保持するよう、弾性材料から構成されていることを特徴とするホールランタンである。
【０００８】
本発明によるホールランタンにおいて、前記光源体は、第１方向に光を放射する第１面発光部と、前記第１方向とは逆の第２方向に光を放射する第２面発光部と、を有していてもよい。
【０００９】
本発明によるホールランタンにおいて、前記光源体は、湾曲した状態で保持された面発光部を有していてもよい。
【００１０】
本発明によるホールランタンにおいて、エレベータの乗り場に、前記留め具が取り付けられる留め具用開口部が形成された三方枠が設けられていてもよい。この場合、前記留め具の側面には、前記留め具用開口部において前記留め具が前記三方枠に係止されるよう、前記三方枠の板厚に対応する幅を有する溝が形成されていてもよい。
【００１１】
本発明によるホールランタンにおいて、前記突出機構には、前記光源体に電気的に接続された電極部が取り付けられており、前記留め具には、前記突出機構が前記留め具の前記開口部に挿入されているときに前記突出機構の電極部と接触する留め具側電極部が取り付けられており、前記留め具側電極部は電源供給部に接続されていてもよい。
【００１２】
本発明によるホールランタンにおいて、前記突出機構は、前記面光源体から突出する突出部分と、前記突出部分の突出方向と略直交する方向へ延び、前記突出機構が前記留め具の前記開口部に挿入されているときに前記留め具に係止される爪部分と、を有していてもよい。
【発明の効果】
【００１３】
本発明によれば、ホールランタンにおいて、少なくとも１つの面発光部を有する光源体が用いられる。このため、照光体を設けることなく、乗り場ホールに向けてムラの無い光を放射することができる。このことにより、狭いスペース、例えば三方枠の枠内にホールランタンを設置することができる。またホールランタンは、光源体から突出するよう設けられた突出機構と、エレベータの乗り場に設置され、突出機構が挿入されて保持される開口部が形成された留め具と、を備えている。このうち留め具は、開口部に挿入された突出機構を弾性的に押圧して保持するよう、弾性材料から構成されている。このため、ネジ等の機械的な締結具を用いることなく、ホールランタンを乗り場に設置することができる。これによって、ホールランタンの設置作業の効率を高めることができる。
【図面の簡単な説明】
【００１４】
【図１】図１は、本発明の第１の実施の形態によるホールランタンが設置されたエレベータの乗り場を示す図。
【図２】図２は、図１のホールランタンを拡大して示す斜視図。
【図３】図３は、図２のホールランタンを線III−IIIに沿って見た横断面図。
【図４】図４は、ホールランタンを三方枠に設置する工程を示す図。
【図５】図５は、本発明の第１の実施の形態の変形例におけるホールランタンを示す縦断面図。
【図６】図６（ａ）は、本発明の第２の実施の形態によるホールランタンの光源体を示す図、図６（ｂ）は、本発明の第２の実施の形態によるホールランタンを示す横断面図。
【発明を実施するための形態】
【００１５】
第１の実施の形態
以下、図１乃至図４を参照して、本発明の第１の実施の形態について説明する。まず図１により、本実施の形態におけるホールランタン１０およびホールランタン１０が設置されているエレベータの乗り場７について説明する。
【００１６】
図１は、エレベータの乗り場７を示す図である。図１に示すように、乗り場７には、一対のホールドア２と、ホールドア２と壁体８との間に介在された三方枠１とが設けられている。三方枠１は、上下方向に延びる一対の縦枠１ａと、一対の縦枠１ａの上端の間を水平方向に延びる幕板（上枠）１ｂと、から構成されている。また図１に示すように、三方枠１の縦枠１ａには、乗りかごの到着や運行状況を表示するためのホールランタン３が取り付けられている。
【００１７】
ホールランタン
次に図２および図３を参照して、ホールランタン３について詳細に説明する。図２は、図１のホールランタン３を拡大して示す図であり、図３は、図２のホールランタン３を線III−IIIに沿って見た横断面図である。
【００１８】
はじめに図２を参照して、ホールランタン３全体について説明する。図２に示すように、ホールランタン３は、三方枠１の縦枠１ａと直交する方向に延びる光源体１０と、三方枠１の縦枠１ａと直交する方向において光源体１０から突出するよう設けられた突出機構２０と、縦枠１ａに取り付けられ、突出機構２０を保持するよう構成された留め具５と、を備えている。
【００１９】
以下、ホールランタン３の各構成要素について説明する。
【００２０】
（光源体）
はじめに光源体１０について説明する。図２および図３に示すように、光源体１０は、第１面発光部１１および第２面発光部１２を重ねることにより構成されている。このうち第１面発光部１１は、三方枠１の縦枠１ａと直交する方向に延びる第１基板１１ａと、第１基板１１ａ上に設けられ、矢印Ｌ１により示される第１方向に光を放射する第１発光素子１１ｂと、を有している。ここで第１発光素子１１ｂは、面全体において均一に発光するよう構成された発光素子からなっており、例えば薄型の有機ＥＬ素子からなっている。このため第１面発光部１１は、アクリルやガラスなどの照光体を用いることなく、第１発光素子１１ｂの面全域にわたってムラの無い光を第１方向Ｌ１において放射することができる。
【００２１】
第２面発光部１２は、三方枠１の縦枠１ａと直交する方向に延びる第２基板１２ａと、第２基板１２ａ上に設けられ、矢印Ｌ２により示される第２方向に光を放射する第２発光素子１２ｂと、を有している。第１面発光部１１の場合と同様に、第２発光素子１２ｂは、面全体において均一に発光するよう構成された発光素子からなっており、例えば薄型の有機ＥＬ素子からなっている。このため第２面発光部１２は、アクリルやガラスなどの照光体を用いることなく、第２発光素子１２ｂの面全域にわたってムラの無い光を第２方向Ｌ２において放射することができる。
【００２２】
なお第１方向Ｌ１と第２方向Ｌ２との関係が特に限られることはないが、例えば図２に示すように、第２方向Ｌ２は第１方向Ｌ１とは逆の方向となっている。
【００２３】
（突出機構）
次に突出機構２０について説明する。突出機構２０は、図２および図３に示すように、三方枠１の縦枠１ａと直交する方向において第１面発光部１１から縦枠１ａに向かって突出するよう設けられた第１突出機構２１と、三方枠１の縦枠１ａと直交する方向において第２面発光部１２から縦枠１ａに向かって突出するよう設けられた第２突出機構２２と、を含んでいる。ここで、第１突出機構２１は、第１面発光部１１の第１基板１１ａと一体のものとして形成されていてもよく、若しくは、第１基板１１ａとは別個のものとして形成されるとともに第１基板１１ａに連結されていてもよい。同様に、第２突出機構２２は、第２面発光部１２の第２基板１２ａと一体のものとして形成されていてもよく、若しくは、第２基板１２ａとは別個のものとして形成されるとともに第２基板１２ａに連結されていてもよい。
【００２４】
また図３に示すように、第１突出機構２１の表面には第１電極部２３が取り付けられている。この第１電極部２３は、図示はしないが、第１面発光部１１の第１発光素子１１ｂに電気的に接続されている。同様に、第２突出機構２２の表面には第２電極部２４が取り付けられている。この第２電極部２４は、図示はしないが、第２面発光部１２の第２発光素子１２ｂに電気的に接続されている。
【００２５】
（留め具）
次に留め具５について説明する。図２および図３に示すように、留め具５には開口部５ｃが形成されており、また留め具５は、弾性材料、例えばゴム材料から構成されている。また開口部５ｃは、突出機構２０が挿入された時に突出機構２０によって押し広げられ得る程度の寸法を有している。このため、留め具５の開口部５ｃ内に挿入された突出機構２０は、留め具５によって弾性的に押圧されることになる。このことにより、突出機構２０を留め具５の弾性力によって保持することができる。
【００２６】
留め具５を構成する具体的なゴム材料が特に限られることはなく、設置作業のし易さ、留め具５の開口部５ｃの寸法、突出機構２０および光源体１０の重量などを考慮して適切に選択される。
【００２７】
また図３に示すように、留め具５には、突出機構２０が開口部５ｃに挿入されているときに上述の第１電極部２３および第２電極部２４と接触する留め具側第１電極部５ａおよび留め具側第２電極部５ｂが取り付けられている。これら留め具側第１電極部５ａおよび留め具側第２電極部５ｂは、後に図４において示すように、所定の配線を介して電源供給部に接続されている。このため、電源供給部からの電力を、留め具側第１電極部５ａおよび第１電極部２３を介して第１面発光部１１の第１発光素子１１ｂに供給することができる。同様に、電源供給部からの電力を、留め具側第２電極部５ｂおよび第２電極部２４を介して第２面発光部１２の第２発光素子１２ｂに供給することができる。
【００２８】
また図３に示すように、留め具５は、縦枠１ａに形成された留め具用開口部１ｃに取り付けられている。なお図３において、留め具用開口部１ｃの周辺における縦枠１ａの板厚が符号ｔにより示されている。また図３に示すように、留め具５の側面には、縦枠１ａの板厚ｔに対応する幅ｗを有する溝５ｄが形成されている。このため、縦枠１ａが留め具５の溝５ｄにはめ込むことができ、これによって、留め具５を縦枠１ａに対して係止することができる。
【００２９】
次に、このような構成からなる本実施の形態の作用について説明する。ここでは図４を参照して、ホールランタン３を縦枠１ａに設置する方法について説明する。
【００３０】
ホールランタンの設置方法
はじめに留め具５を準備し、次に、図４に示すように、電源供給部６から引き出された配線６ａ，６ｂを留め具５の留め具側第１電極部５ａおよび留め具側第２電極部５ｂに接続する。その後、図４において矢印（１）により示されているように、留め具５を縦枠１ａの留め具用開口部１ｃに取り付ける。
【００３１】
この際、上述のように、留め具５はゴム材料などの弾性材料から構成されている。また留め具５の側面には、縦枠１ａの板厚ｔに対応する幅ｗを有する溝５ｄが形成されている。このため、留め具５の溝５ｄに縦枠１ａを容易に嵌め込ませることができ、これによって、留め具５を縦枠１ａに取り付けることができる。
【００３２】
次に突出機構２０が設けられた光源体１０を準備する。その後、図４において矢印（２）により示されているように、突出機構２０を留め具５の開口部５ｃに挿入する。ここで上述のように、留め具５はゴム材料などの弾性材料から構成されている。このため、開口部５ｃに挿入された突出機構２０は、留め具５によって弾性的に押圧され、この結果、突出機構２０が留め具５によって保持される。このようにして、光源体１０、突出機構２０および留め具５を備えたホールランタン３が乗り場７の縦枠１ａに取り付けられる。
【００３３】
また突出機構２０が留め具５の開口部５ｃに挿入されると、開口部５ｃに設けられた留め具側第１電極部５ａが第１電極部２３に接触し、同様に、開口部５ｃに設けられた留め具側第２電極部５ｂが第２電極部２４に接触する。これによって、電源供給部からの電力が留め具側第１電極部５ａおよび第１電極部２３を介して第１面発光部１１の第１発光素子１１ｂに供給され、同様に、電源供給部からの電力が留め具側第２電極部５ｂおよび第２電極部２４を介して第２面発光部１２の第２発光素子１２ｂに供給される。これによって、ホールランタン３が動作可能となる。
【００３４】
ここで本実施の形態によれば、ホールランタン３において、面発光部を有する光源体１０が用いられている。例えば上述のように、面全体において均一に発光された発光素子１１ｂ，１１ｃを含む面発光部１１，１２を有する光源体１０が用いられている。このため光源体１０は、アクリルやガラスなどの照光体を用いることなく、発光素子１１ｂ，１１ｃの面全域にわたってムラの無い光を放射することができる。このように照光体を不要とすることにより、ホールランタン３の寸法を従来よりも小さくすることができる。より具体的には、厚み方向における寸法が極めて小さい薄型のホールランタン３を提供することができる。このことにより、狭いスペース、例えば三方枠の枠内にホールランタン３を設置することが可能となる。
【００３５】
また本実施の形態によれば、ホールランタン３は、光源体１０から突出するよう設けられた突出機構２０と、エレベータの乗り場７に設置され、突出機構２０が挿入されて保持される開口部５ｃが形成された留め具５と、を備えている。このうち留め具５は、開口部５ｃに挿入された突出機構２０を弾性的に押圧して保持するよう、弾性材料から構成されている。このため、ネジ等の機械的な締結具を用いることなく、ホールランタン３を乗り場７に容易に設置することができる。これによって、ホールランタン３の設置作業の効率を高めることができる。
【００３６】
また本実施の形態によれば、留め具５の側面には、縦枠１ａの板厚ｔに対応する幅ｗを有する溝５ｄが形成されている。このため、留め具５を容易に縦枠１ａの留め具用開口部１ｃに係止することができる。このことにより、留め具５の設置作業の効率を高めることができる。
【００３７】
また本実施の形態によれば、留め具５には、突出機構２０が開口部５ｃに挿入されているときに第１電極部２３および第２電極部２４と接触する留め具側第１電極部５ａおよび留め具側第２電極部５ｂが取り付けられている。このため、突出機構２０を留め具５の開口部５ｃに挿入することと同時に、電源供給部６と光源体１０との間の電気的な接続を確立させることができる。このことにより、ホールランタン３の設置作業の効率をさらに高めることができる。
【００３８】
突出機構の変形例
なお本実施の形態において、開口部５ｃに挿入された突出機構２０が留め具５によって弾性的に押圧され、これによって、突出機構２０が留め具５により保持される例を示した。ここで、突出機構２０をより強固に留め具５に対して固定するための構造がさらに突出機構２０に設けられていてもよい。
【００３９】
例えば図５に示すように、突出機構２０の第１突出機構２１は、三方枠１の縦枠１ａと直交する方向において第１面発光部１１から縦枠１ａに向かって突出する第１突出部分（図５において符号２１ａにより示される部分）だけでなく、第１突出部分２１ａの突出方向と略直交する方向へ延びる第１爪部分２１ｂをさらに含んでいてもよい。この場合、突出機構２０の第１突出機構２１が留め具５の開口部５ｃに留め具５の背面５ｅを超えて挿入されると、上記第１爪部分２１ｂが留め具５によって係止されることになる。このことにより、突出機構２０をより強固に留め具５に対して固定することができる。なおこのような爪部分は、図示はしないが、第１突出機構２１だけでなく第２突出機構２２にも設けられていてもよい。
【００４０】
第２の実施の形態
次に図６を参照して、本発明の第２の実施の形態について説明する。図６に示す第２の実施の形態は、光源体が湾曲した状態で保持された面発光部を有する点が異なるのみであり、他の構成は、図１乃至図５に示す第１の実施の形態と略同一である。図６に示す第２の実施の形態において、図１乃至図５に示す第１の実施の形態と同一部分には同一符号を付して詳細な説明は省略する。
【００４１】
（光源体）
はじめに図６（ａ）を参照して、本実施の形態による光源体１０について説明する。図６（ａ）に示すように、光源体１０は、略３６０°にわたって湾曲した状態で保持された基板１５ａと、基板１５ａ上に設けられ、基板１５ａの法線方向（図６（ａ）において矢印Ｌにより示される方向）に光を放射する発光素子１５ｂと、を含む面発光部１５を有している。ここで発光素子１５ｂは、第１の実施の形態における第１発光素子１１ｂおよび第２発光素子１２ｂと同様に、面全体において均一に発光するよう構成された発光素子からなっており、例えば薄型の有機ＥＬ素子からなっている。このため本実施の形態によれば、アクリルやガラスなどの照光体を用いることなく、ムラの無い光を略３６０°にわたって放射することができる。
【００４２】
（ホールランタン）
次に図６（ｂ）を参照して、上述の面発光部１５を有する光源体１０を備えたホールランタン３について説明する。図６（ｂ）に示すように、ホールランタン３は、上述の光源体１０と、光源体１０から縦枠１ａに向かって突出するよう設けられた突出機構２０と、縦枠１ａに取り付けられ、突出機構２０を保持するよう構成された留め具５と、を備えている。
【００４３】
突出機構２０は、第１の実施の形態の場合と同様に、面発光部１５の基板１５ａと一体のものとして形成されていてもよく、若しくは、基板１５ａとは別個のものとして形成されるとともに基板１５ａに連結されていてもよい。
【００４４】
留め具５には、第１の実施の形態の場合と同様に、突出機構２０が挿入される開口部５ｃが形成されている。このため、留め具５は、開口部５ｃに挿入された突出機構２０を弾性的に押圧して保持することができる。このことにより、ネジ等の機械的な締結具を用いることなく、ホールランタン３を乗り場７に容易に設置することができる。
【００４５】
また留め具５の側面には、第１の実施の形態の場合と同様に、縦枠１ａの板厚ｔに対応する幅ｗを有する溝５ｄが形成されている。このため、留め具５を容易に縦枠１ａの留め具用開口部１ｃに係止することができる。
【００４６】
また図６（ｂ）に示すように、突出機構２０には、面発光部１５の発光素子１５ｂに電気的に接続された電極部２５が取り付けられている。また留め具５には、突出機構２０が開口部５ｃに挿入されているときに電極部２５と接触する留め具側電極部５ｆが取り付けられている。この電極部５ｆは、所定の配線を介して電源供給部６に接続されている。このため、突出機構２０を留め具５の開口部５ｃに挿入することと同時に、電源供給部６と光源体１０との間の電気的な接続を確立させることができる。
【００４７】
面発光部の変形例
なお上記各実施の形態において、各発光素子１１ｂ，１２ｂ，１５ｂが薄型の有機ＥＬ素子からなる例を示した。しかしながら、これに限られることはなく、各発光素子１１ｂ，１２ｂ，１５ｂとして、面全体において均一に発光することができる様々なタイプの発光素子を用いることができる。
【符号の説明】
【００４８】
１  三方枠
１ａ  縦枠
１ｂ  幕板（上枠）
１ｃ  留め具用開口部
２  ホールドア
３  ホールランタン
５  留め具
５ａ  留め具側第１電極部
５ｂ  留め具側第２電極部
５ｃ  開口部
５ｄ  溝
５ｅ  留め具の背面
５ｆ  留め具側電極部
６  電源供給部
７  乗り場
８  壁体
１０  光源体
１１  第１面発光部
１１ａ  第１基板
１１ｂ  第１発光素子
１２  第２面発光部
１２ａ  第２基板
１２ｂ  第２発光素子
１５  湾曲した面発光部
１５ａ  基板
１５ｂ  発光素子
２０  突出機構
２１  第１突出機構
２１ａ  第１突出部分
２１ｂ  第１爪部分
２２  第２突出機構
２３  第１電極部
２４  第２電極部
【図１】
2013049564.tif 000003
【図２】
2013049564.tif 000004
【図３】
2013049564.tif 000005
【図４】
2013049564.tif 000006
【図５】
2013049564.tif 000007
【図６】
2013049564.tif 000008